(57)【特許請求の範囲】
【請求項１】
物品名を含む物品情報を入力する物品情報入力部と、
前記物品情報に基づいて、前記物品情報を示すコード画像を含む物品ラベルを印刷する物品ラベル印刷部と、
前記物品ラベルの印刷ごとに、当該物品ラベルの物品情報を追加することにより、前記物品情報の一覧である物品リストを生成する物品リスト生成部と、
生成した前記物品リストを記憶する物品リスト記憶部と、
現品確認リスト生成指示が行われたとき、前記物品リスト記憶部から読み出した前記物品ラベルと同内容の現品確認リストを生成する現品確認リスト生成部と、
生成した前記現品確認リストを記憶する現品確認リスト記憶部と、
前記物品リストを編集する物品リスト編集部と、を備え、
前記現品確認リスト生成部は、
各物品に対応する前記コード画像が読み取られることにより現品確認結果が取得され、当該現品確認結果により特定される物品が前記現品確認リストに登録されていることを条件として、現在日計測部により計測された現在日を含む現品確認ラベルが印刷された場合、現品確認完了を前記現品確認リストに登録すると共に、前記物品リストが編集された場合、その編集結果を前記現品確認リストに反映し、前記物品リストと前記現品確認リストとの整合性を保つことを特徴とする印刷装置。
【請求項２】
前記現品確認リスト記憶部に複数の前記現品確認リストが記憶されている状態で、前記物品リストが編集された場合、前記複数の現品確認リストのうち最新の現品確認リストに対してのみ前記物品リストの編集結果を反映し、前記物品リストと前記最新の現品確認リストとの整合性を保つことを特徴とする請求項１に記載の印刷装置。
【請求項３】
前記物品情報は、各物品を一意に特定する情報を含み、
前記物品リスト生成部は、印刷された前記物品ラベルの物品情報が、前記物品リストに存在するか否かを判別し、存在しない場合、当該物品情報を前記物品リストに追加することを特徴とする請求項１または２に記載の印刷装置。
【請求項４】
前記物品リストとして、前記物品名の一覧を示す物品リスト画面と、当該物品リスト画面においていずれかの物品名が選択された場合、当該物品名を含む前記物品情報を示す物品情報画面と、を表示する物品リスト表示部をさらに備えたことを特徴とする請求項１ないし３のいずれか１項に記載の印刷装置。
【請求項５】
物品名を含む物品情報を入力する物品情報入力ステップと、
前記物品情報に基づいて、前記物品情報を示すコード画像を含む物品ラベルを印刷する物品ラベル印刷ステップと、
前記物品ラベルの印刷ごとに、当該物品ラベルの物品情報を追加することにより、前記物品情報の一覧である物品リストを生成する物品リスト生成ステップと、
生成した前記物品リストを物品リスト記憶部に記憶する物品リスト記憶ステップと、
現品確認リスト生成指示が行われたとき、前記物品リスト記憶部から読み出した前記物品ラベルと同内容の現品確認リストを生成する現品確認リスト生成ステップと、
生成した前記現品確認リストを現品確認リスト記憶部に記憶する現品確認リスト記憶ステップと、
前記物品リストを編集する物品リスト編集ステップと、を備え、
前記現品確認リスト生成ステップは、
各物品に対応する前記コード画像が読み取られることにより現品確認結果が取得され、当該現品確認結果により特定される物品が前記現品確認リストに登録されていることを条件として、現在日計測部により計測された現在日を含む現品確認ラベルが印刷された場合、現品確認完了を前記現品確認リストに登録すると共に、前記物品リストが編集された場合、その編集結果を前記現品確認リストに反映し、前記物品リストと前記現品確認リストとの整合性を保つことを特徴とする印刷装置の物品リスト生成方法。
【発明の詳細な説明】
【技術分野】
【０００１】
棚卸しに用いる物品リストを生成する印刷装置および印刷装置の物品リスト生成方法に関するものである。
【背景技術】
【０００２】
従来、棚卸しに関する技術として、特許文献１が提案されている。特許文献１では、棚卸し対象の各商品に対応して、在庫数を確認するためのバーコード付きラベルを商品棚に貼付しておき、バーコード付きラベルからバーコードを読み取り、読取結果から得られる商品情報と、手入力した数量（在庫数）とに基づいて、新たなバーコード付きラベルを作成する。また、全商品についてバーコードの読み取りと数量の入力を完了すると、商品別在庫データを上位装置に出力する。
【０００３】
一方、棚卸しの一種として、企業内では、固定資産の現品確認が定期的に行われている。このような現品確認業務では、各物品に物品名などを示す物品ラベルを貼付しておき、当該物品ラベルと、予め作成しておいた物品リストとを照合することが一般的である。
【先行技術文献】
【特許文献】
【０００４】
【特許文献１】特開平４−２３８５７０号公報
【発明の概要】
【発明が解決しようとする課題】
【０００５】
ところが、従来のような現品確認方法では、予め物品リストを作成しておく必要がある。また、物品リストと物品ラベルは、個別に作成されるため、両者の情報が一致しない場合もある。例えば、物品リストでは物品名が「コンピューター００１」と表記され、物品ラベルでは物品名が「ＰＣ１」と表記されているような場合、両者が同じ物品を示すものであるか否かの判断が難しい。また、物品を一意に特定するための管理番号を付加したとしても、物品リストまたは物品ラベルを作成する際に情報の誤入力の虞がある。一方、特許文献１には、物品リストに相当する商品別在庫データを作成することが記載されているが、予めバーコード付きラベルが存在することが前提であるため、物品リストの作成前に、バーコード付きラベルを作成しておく必要がある。また、バーコード付きラベルを作成するためには、予め企業内にどのような物品があるかを調査して手書きの物品リストを作成しておかなければならず、結局二度手間となる。
【０００６】
本発明は、上記の問題点に鑑み、現品確認を行うための物品リストおよび物品ラベルの作成の手間を軽減できる印刷装置および印刷装置の物品リスト生成方法を提供することを目的とする。
【課題を解決するための手段】
【０００７】
本発明の印刷装置は、物品名を含む物品情報を入力する物品情報入力部と、物品情報に基づいて、物品情報を示すコード画像を含む物品ラベルを印刷する物品ラベル印刷部と、物品ラベルの印刷ごとに、当該物品ラベルの物品情報を追加することにより、物品情報の一覧である物品リストを生成する物品リスト生成部と、生成した物品リストを記憶する物品リスト記憶部と、現品確認リスト生成指示が行われたとき、物品リスト記憶部から読み出した物品ラベルと同内容の現品確認リストを生成する現品確認リスト生成部と、生成した現品確認リストを記憶する現品確認リスト記憶部と、物品リストを編集する物品リスト編集部と、を備え、現品確認リスト生成部は、各物品に対応するコード画像が読み取られることにより現品確認結果が取得され、当該現品確認結果により特定される物品が現品確認リストに登録されていることを条件として、現在日計測部により計測された現在日を含む現品確認ラベルが印刷された場合、現品確認完了を現品確認リストに登録すると共に、物品リストが編集された場合、その編集結果を現品確認リストに反映し、物品リストと現品確認リストとの整合性を保つことを特徴とする。
上記の印刷装置において、現品確認リスト記憶部に複数の現品確認リストが記憶されている状態で、物品リストが編集された場合、複数の現品確認リストのうち最新の現品確認リストに対してのみ物品リストの編集結果を反映し、物品リストと最新の現品確認リストとの整合性を保つことを特徴とする。
上記の印刷装置において、物品情報は、各物品を一意に特定する情報を含み、物品リスト生成部は、印刷された物品ラベルの物品情報が、物品リストに存在するか否かを判別し、存在しない場合、当該物品情報を物品リストに追加することを特徴とする。
上記の印刷装置において、物品リストとして、物品名の一覧を示す物品リスト画面と、当該物品リスト画面においていずれかの物品名が選択された場合、当該物品名を含む物品情報を示す物品情報画面と、を表示する物品リスト表示部をさらに備えたことを特徴とする。
本発明の物品リスト生成方法は、物品名を含む物品情報を入力する物品情報入力ステップと、物品情報に基づいて、物品情報を示すコード画像を含む物品ラベルを印刷する物品ラベル印刷ステップと、物品ラベルの印刷ごとに、当該物品ラベルの物品情報を追加することにより、物品情報の一覧である物品リストを生成する物品リスト生成ステップと、生成した物品リストを物品リスト記憶部に記憶する物品リスト記憶ステップと、現品確認リスト生成指示が行われたとき、物品リスト記憶部から読み出した物品ラベルと同内容の現品確認リストを生成する現品確認リスト生成ステップと、生成した現品確認リストを現品確認リスト記憶部に記憶する現品確認リスト記憶ステップと、物品リストを編集する物品リスト編集ステップと、を備え、現品確認リスト生成ステップは、各物品に対応するコード画像が読み取られることにより現品確認結果が取得され、当該現品確認結果により特定される物品が現品確認リストに登録されていることを条件として、現在日計測部により計測された現在日を含む現品確認ラベルが印刷された場合、現品確認完了を現品確認リストに登録すると共に、物品リストが編集された場合、その編集結果を現品確認リストに反映し、物品リストと現品確認リストとの整合性を保つことを特徴とする。
なお、以下の構成としても良い。
本発明の印刷装置は、物品名を含む物品情報を入力する物品情報入力部と、物品情報に基づいて、物品ラベルを印刷する物品ラベル印刷部と、物品ラベルの印刷に伴い、物品情報の一覧である物品リストを生成する物品リスト生成部と、生成した物品リストを記憶する物品リスト記憶部と、を備え、物品リスト生成部は、物品ラベルの印刷ごとに、当該物品ラベルの物品情報を物品リストに追加することを特徴とする。
【０００８】
本発明の印刷装置の物品リスト生成方法は、物品ラベルを印刷する印刷装置の物品リスト生成方法であって、物品名を含む物品情報を入力する物品情報入力ステップと、物品情報に基づいて、物品ラベルを印刷する物品ラベル印刷ステップと、物品ラベルの印刷に伴い、物品情報の一覧である物品リストを生成する物品リスト生成ステップと、を備え、物品リスト生成ステップは、物品ラベルの印刷ごとに、当該物品ラベルの物品情報を物品リストに追加することを特徴とする。
【０００９】
これらの構成によれば、物品ラベルの印刷に伴って物品リストを生成するため、予め物品リストを作成しておく必要がない。また、物品ラベルは、印刷装置に物品情報を入力することで印刷できるため、担当者が印刷装置を持って各フロアをまわることにより、実際に物品を確認しながら作成することができる。さらに、物品ラベルの印刷に伴って、当該物品ラベルの物品情報を物品リストに追加するため、物品リストには、物品ラベルが発行された物品だけが含まれる。つまり、物品情報を入力しただけで実際に物品ラベルを印刷していない場合は、その物品が物品リストに追加されないため、正確な物品リストを生成できる（実在する物品とリストアップされた物品の整合性を保持できる）。
【００１０】
上記の印刷装置において、物品情報は、各物品を一意に特定する情報を含み、物品リスト生成部は、印刷された物品ラベルの物品情報が、物品リストに存在するか否かを判別し、存在しない場合、当該物品情報を物品リストに追加することを特徴とする。
【００１１】
この構成によれば、印刷された物品ラベルの物品情報が物品リストに存在する場合は、その物品情報を物品リストに追加しないため、物品リストへの二重登録を防止できる。例えば、物品の複数箇所に物品ラベルを貼付する場合や物品ラベルを破損・紛失した場合に再印刷することが考えられるが、そのような場合でも、２枚目以降の物品ラベル発行時には、物品情報が物品リストに追加されないため、実際の物品数と、物品リストの物品数との整合性を保つことができる。
【００１２】
上記の印刷装置において、物品リストとして、物品名の一覧を示す物品リスト画面と、当該物品リスト画面においていずれかの物品名が選択された場合、当該物品名を含む物品情報を示す物品情報画面と、を表示する物品リスト表示部をさらに備えたことを特徴とする。
【００１３】
この構成によれば、物品名の一覧と、各物品名を含む物品情報との２階層構造で情報を表示するため、物品リストを表示する画面サイズが小さい場合であっても、効率的に情報を表示できる。
【００１４】
上記の印刷装置において、各物品の現品確認結果を取得する現品確認結果取得部をさらに備え、物品名の一覧に、各物品の現品確認結果を対応付けた現品確認リストを表示する現品確認リスト表示部をさらに備えたことを特徴とする。
【００１５】
この構成によれば、現品確認リストを表示するため、どの物品に対して現品確認を行ったかを確認することができる。
【００１６】
上記の印刷装置において、物品ラベル印刷部は、物品ラベルに、物品情報を示すコード画像を含めて印刷し、現品確認結果取得部は、現品確認結果として、コード画像の読取結果を取得することを特徴とする。
【００１７】
この構成によれば、物品ラベルからコード画像を読み取るだけで現品確認を行うことができるため、現品確認業務の作業負担を軽減できる。
【００１８】
上記の印刷装置において、現品確認リストを記憶する現品確認リスト記憶部と、物品リストおよび現品確認リストを外部装置に出力するリスト出力部と、をさらに備えたことを特徴とする。
【００１９】
この構成によれば、外部装置（例えば、パーソナルコンピューター）側で、物品リストや現品確認リストを、資産管理や税務処理などに利用することができる。
【図面の簡単な説明】
【００２０】
【図１】本発明の一実施形態に係るテープ印刷装置の外観斜視図である。
【図２】テープ印刷装置の制御ブロック図である。
【図３】表示画面の表示例（（ａ）現品管理メニュー画面、（ｂ），（ｃ）物品ラベル入力画面、（ｄ）物品ラベル印刷画面）を示す図である。
【図４】表示画面の表示例（（ａ）物品リスト登録確認画面、（ｂ）物品リスト画面、（ｃ）物品情報画面、（ｄ）現品確認画面）を示す図である。
【図５】表示画面の表示例（（ａ）確認方法選択画面、（ｂ）コードスキャン画面、（ｃ），（ｄ）スキャン結果確認画面）を示す図である。
【図６】表示画面の表示例（（ａ）物品選択画面、（ｂ）物品選択確認画面、（ｃ）現品確認継続画面、（ｄ）現品確認リスト選択画面）を示す図である。
【図７】表示画面の表示例（（ａ）現品確認リスト面、（ｂ）確認情報入力画面、（ｃ）確認ラベル印刷画面、（ｄ）現品確認リスト登録確認画面）を示す図である。
【図８】ラベルの印刷例（（ａ）物品ラベル、（ｂ）確認ラベル、（ｃ）変形例に係る物品確認ラベル）を示す図である。
【図９】メイン処理を示すフローチャートである。
【図１０】物品ラベル印刷処理を示すフローチャートである。
【図１１】物品リスト表示処理を示すフローチャートである。
【図１２】現品確認処理を示すフローチャートである。
【図１３】図１２に続く、現品確認処理を示すフローチャートである。
【図１４】現品確認リスト表示処理を示すフローチャートである。
【発明を実施するための形態】
【００２１】
［第１実施形態］
以下、本発明の一実施形態について、添付図面を参照しながら詳細に説明する。図１は、本実施形態に係るテープ印刷装置１の外観斜視図である。図１に示すようにテープ印刷装置１は、装置ケース５により外郭が形成され、装置ケース５の前部上面には各種入力キーを備えたキーボード２が配置されると共に、後部上面には、その左部に開閉蓋４が取り付けられ、その右部には表示画面３が配設されている。表示画面３は、液晶ディスプレーであり、各種画面（図３〜図７参照）を表示する。
【００２２】
装置ケース５の上面右側には、ハンドスキャナー６を装着するためのスキャナー装着部７が窪入形成されている。ハンドスキャナー６は、コード２３を介してテープ印刷装置本体と接続され、スキャナー装着部７から取り外された状態で、ＱＲコード５２（図８参照）の読み取りを行う。また、装置ケース５の右側部には、外部装置（パーソナルコンピューターなど）と接続されるＵＳＢインターフェース２１が形成されている。
【００２３】
一方、開閉蓋４の内側にはテープカートリッジＣを装着するためのカートリッジ装着部８が窪入形成されている。特に図示しないが、テープカートリッジＣには、一定の幅（４ｍｍ〜４８ｍｍ程度）のテープＴを巻回したテープリールと、インクリボンを巻回したリボンリールとが収容されている。テープＴは、裏面に粘着剤層が形成された記録テープと、この粘着剤層により記録テープに貼り付けられた剥離テープとから成る。また、テープカートリッジＣのケースには、テープカートリッジＣの種別（テープ幅、テープの種類および色など）を示す複数の孔が形成されている。また、カートリッジ装着部８には、サーマルタイプの印刷ヘッドと、印刷ヘッドに対峙するプラテンと、インクリボンを巻き取る巻き取り駆動軸と、テープカートリッジＣのケースに形成された複数の孔に対応する複数のテープ識別センサー１６（マイクロスイッチ等）（図２参照）と、が設けられている。
【００２４】
装置ケース５の左側部には、カートリッジ装着部８と外部とを連通するテープ排出口２２が形成され、このテープ排出口２２には、テープ搬送機構により送り出されたテープＴを切断するためのテープカッターが臨んでいる。そして、テープ排出口２２から印刷済みのテープＴが所定長さだけ送り出された後、この印刷済みのテープＴがテープカッターにより幅方向に切断され、短冊状のラベルＬが作成される。
【００２５】
キーボード２には、文字キー群および各種動作モード等を指定するための機能キー群が配列されている。文字キー群は、ＪＩＳ配列に基づいたフルキー構成であり、操作するキー数の増加を抑えるためのシフトキーを備えるなど、一般のワードプロセッサー等と同様である。また、機能キー群には、［印刷］キー、［カーソル］キー、［選択］キー、［戻る］キーおよび［現品管理］キーなどが含まれる。当該［現品管理］キーは、企業などで現品管理業務（固定資産の対象となる物品の有無や設置場所を確認、管理する業務）を行う際に用いられる。例えば、現品管理の対象となる各物品に貼付するための物品ラベルＬ１の印刷、現品確認を完了した際、各物品の物品ラベルＬ１の近傍に貼付するための確認ラベルＬ２の印刷などに用いられる（図８（ａ），（ｂ）参照）。詳細については後述する。
【００２６】
次に、図２の制御ブロック図を参照し、テープ印刷装置１の制御構成について説明する。テープ印刷装置１は、主な構成要素として、キーボード２、表示画面３、ＲＴＣ（Real  Time  Clock）１１、ハンドスキャナー６、ＲＡＭ（Random  Access  Memory）１２、フラッシュＲＯＭ（Read  Only  Memory）１３、印刷機構１４（上記の印刷ヘッドを含む）、切断機構１５（上記のテープカッターを含む）、テープ識別センサー１６、ＵＳＢインターフェース２１およびＣＰＵ（Central  Processing  Unit）１８を備えている。
【００２７】
キーボード２は、物品情報入力部２ａおよび物品選択部２ｂとして機能する。物品情報入力部２ａは、物品ラベルＬ１を印刷するため、各物品の物品名や管理番号（物品を一意に特定する情報）を含む物品情報を入力する。また、物品選択部２ｂは、後述する確認方法選択画面（図５（ａ）参照）において、「手動確認（現品確認を手入力によって行う）」が選択された場合、物品名の一覧（図６（ａ）参照，物品一覧）から、現品確認の対象となる物品を選択する（現品確認結果取得部）。
【００２８】
表示画面３は、物品リスト表示部３ａおよび現品確認リスト表示部３ｂ（物品一覧表示部）として機能する。物品リスト表示部３ａは、管理対象となっている物品を確認するために、物品リストを表示する（図４（ｂ），（ｃ））。なお、物品リスト表示部３ａは、物品リストとして、物品名の一覧を示す物品リスト画面（図４（ｂ）参照）と、当該物品リスト画面においていずれかの物品名が選択された場合、当該物品名を含む物品情報を示す物品情報画面（図４（ｂ）参照）を表示する。現品確認リスト表示部３ｂは、物品名の一覧に、各物品の現品確認結果を対応付けた現品確認リストを表示する（図７（ａ）参照）。なお、各物品の現品確認結果とは、現品確認が行われたか否かを示す情報を指す。
【００２９】
ＲＴＣ１１は、現在日計測部１１ａとして機能する。現在日計測部１１ａは、確認ラベルＬ２の印刷時点における現在日（印刷日）を計測する。計測結果は、確認ラベルＬ２に、現品確認を行った確認日を印刷するために用いられる（図８（ｂ）参照）。
【００３０】
ハンドスキャナー６は、コード画像読み取り部６ａとして機能する。コード画像読み取り部６ａは、後述する確認方法選択画面（図５（ａ）参照）において、「コードスキャン（コード画像の読み取り）」が選択された場合、物品ラベルＬ１に印刷されたＱＲコード５２を読み取る（図８（ａ）参照，現品確認結果取得））。なお、ＱＲコードに代えて、他の種類の２次元コードやバーコードを物品ラベルＬ１に印刷し、それらのコード画像を読み取り可能としても良い。
【００３１】
ＲＡＭ１２は、ＣＰＵ１８が各種演算処理を行う際のワークエリアとして用いられる。フラッシュＲＯＭ１３は、物品リスト記憶部１３ａおよび現品確認リスト記憶部１３ｂ（物品一覧記憶部）として機能する。物品リスト記憶部１３ａは、物品リスト（物品名の一覧および各物品の物品情報）を記憶する。また、現品確認リスト記憶部１３ｂは、物品リストに、各物品の現品確認結果を対応付けた現品確認リストを記憶する。なお、現品確認リストは、現品確認を行った時期ごとに複数のリストを記憶可能である（詳細については後述する）。
【００３２】
印刷機構１４は、物品ラベル印刷部１４ａおよび確認ラベル印刷部１４ｂとして機能する。物品ラベル印刷部１４ａは、物品情報入力部２ａにより入力された物品情報に基づき、物品ラベルＬ１を印刷する。具体的には、物品情報をテキスト且つ表形式で示した物品テキスト情報５１と、物品情報（テキスト情報）をＱＲコード化したＱＲコード５２と、を含む印刷データをテープＴ上に印刷する（図８（ａ）参照）。
【００３３】
また、確認ラベル印刷部１４ｂは、確認方法として「コードスキャン」が選択された場合、コード画像読み取り部６ａによるＱＲコード５２の読み取りごとに、確認ラベルＬ２を印刷する。具体的には、ＱＲコード５２のデコード結果である物品情報の物品が現品確認リスト記憶部１３ｂに存在するか否かを判別し、存在する場合、現品確認日および確認者名をテキスト且つ表形式で示した確認テキスト情報５３をテープＴ上に印刷する（図８（ｂ）参照）。また、確認ラベル印刷部１４ｂは、確認方法として「手動確認」が選択された場合、物品選択部２ｂによる物品選択ごとに、確認ラベルＬ２を印刷する。なお、確認ラベルＬ２には、ＱＲコード５２のデコード結果、並びにデコード結果に応じて可変する情報は印刷されない。
【００３４】
切断機構１５は、物品ラベル印刷部１４ａまたは確認ラベル印刷部１４ｂによる印刷後、テープＴの印刷済み部分を幅方向に切断する。これにより、物品ラベルＬ１や確認ラベルＬ２が作成される。
【００３５】
テープ識別センサー１６は、テープＴの種別を検出する。なお、物品ラベルＬ１を印刷するための最小印刷幅、確認ラベルＬ２を印刷するための最小印刷幅がそれぞれ予め定められており、各ラベルの印刷指示が行われた時点で、テープ識別センサー１６の検出結果から、装填されているテープＴの印刷幅が最小印刷幅を満たさないと判定された場合、表示画面３にエラー表示を行う。
【００３６】
ＣＰＵ１８は、テープ印刷装置１を統括制御すると共に、物品リスト生成部１８ａおよび現品確認リスト生成部１８ｂ（物品一覧生成部）として機能する。物品リスト生成部１８ａは、物品ラベルＬ１の印刷に伴って、物品リストを生成し、物品リスト記憶部１３ａに記憶する。具体的には、物品ラベルＬ１の印刷ごとに、当該物品ラベルＬ１の物品情報が、物品リスト記憶部１３ａに存在するか否かを判別し、存在しない場合のみ、当該物品情報を物品リスト記憶部１３ａに追加する。なお、物品リスト記憶部１３ａに存在するか否かの判別は、管理番号の有無に基づいて行う。また、現品確認リスト生成部１８ｂは、現品確認の新規作成操作により、現品確認リストを生成する（図４（ｄ）参照）。生成された現品確認リストは、現品確認リスト記憶部１３ｂに記憶される。また、現品確認リスト生成部１８ｂは、確認ラベルＬ２の印刷ごとに、確認ラベルＬ２を印刷した旨（すなわち、現品確認完了）を、各物品に対応付けて追加していく。
【００３７】
ＵＳＢインターフェース２１は、リスト出力部２１ａとして機能する。リスト出力部２１ａは、外部装置からの指令に基づき、物品リスト記憶部１３ａおよび現品確認リスト記憶部１３ｂから読み出した物品リストおよび現品確認リストを外部装置に出力する。なお、物品リストおよび現品確認リストを、ＵＳＢインターフェース２１を介して出力するのではなく、ＵＳＢメモリーなどの外部記憶媒体に格納し、これを外部装置に読み取らせることにより、リストの移行を行っても良い。外部装置に移行された物品リストおよび現品確認リストは、資産管理や税務処理などに利用される。
【００３８】
次に、図３ないし図７の画面表示例を参照し、テープ印刷装置１の一連の動作および操作方法について説明する。なお、括弧書きで示す「Ｓ＊＊」は、図９ないし図１４に示すフローチャートとの対応関係を示すものである。図３（ａ）は、［現品管理］キーを押下した際に表示される現品管理メニュー画面の一例を示す図である（図９のＳ０１，Ｓ０２）。現品管理メニュー画面は、選択肢として、「物品ラベル印刷」、「物品リスト表示」、「現品確認」、「現品確認リスト表示」、を表示する。「物品ラベル印刷」は、物品ラベルＬ１を発行する際に選択される。また、「物品リスト表示」および「現品確認リスト表示」は、物品リストまたは現品確認リストを確認する際に選択される。また、「現品確認」は、現品確認を行う際（確認ラベルＬ２を発行する際）に選択される。このうち、「物品ラベル印刷」が選択されると（図９のＳ０３：Ｙｅｓ，Ｓ０４）、図３（ｂ）に示す物品ラベル入力画面を表示する（図１０のＳ１１）。なお、各画面からは、［戻る］キーの押下により、画面遷移前の画面に戻ることが可能である（以下、同様）。
【００３９】
物品ラベル入力画面は、物品ラベルＬ１に印刷する物品情報として、物品名、管理番号、購入日、管理部門を入力可能である。図３（ｃ）は、キーボード２による物品情報入力後の状態を示す図である。同図の画面が表示されている状態で［印刷］キーが押下されると（図１０のＳ１２：Ｙｅｓ）、図３（ｄ）に示す物品ラベル印刷画面を表示し、物品ラベルＬ１の印刷を行う（図１０のＳ１５）。印刷された物品ラベルＬ１は、図８（ａ）に示す通りであり、物品の目立つ場所に貼付される。印刷を終了すると、図４（ａ）に示す物品リスト登録確認画面を表示する（図１０のＳ１６）。なお、［印刷］キーが押下された時点で、入力された管理番号と同じ管理番号を含む物品情報が、物品リスト記憶部１３ａに記憶されている場合（図１０のＳ１３：Ｙｅｓ）、既に登録済みである旨を示すエラー画面（図示省略）を表示する（図１０のＳ１４）。
【００４０】
図４（ａ）に示すように、物品リスト登録確認画面は、印刷された物品ラベルＬ１の物品情報を物品リストに登録するか否かの選択肢を表示する（図１０のＳ１７）。ここで、「はい」が選択された場合は、物品情報を登録して（図１０のＳ１８）、現品管理メニュー画面（図３（ａ）参照）に戻る。また、「いいえ」が選択された場合は、物品情報を登録せず、現品管理メニュー画面に戻る。なお、物品リスト登録確認画面の表示を省略し、物品情報を自動登録しても良い。また、物品リスト登録確認画面で選択肢が選択された後、または物品情報を自動登録後、物品ラベル入力画面（図３（ｂ）参照）に戻っても良い。
【００４１】
図４（ｂ）は、現品管理メニュー画面（図３（ａ）参照）で、「物品リスト表示」が選択された場合（図９のＳ０５：Ｙｅｓ，Ｓ０６）に表示される物品リスト画面の一例を示す図である（図１１のＳ２１）。物品リスト画面は、物品ラベルＬ１が印刷された順に自動付与された管理ＩＤと共に、各物品の物品名を表示する。また、物品リストに登録されている物品数として、管理ＩＤの最終番号を表示する。同図に示すように、例えば管理ＩＤ「１」の物品名にカーソルが付加されている状態で［選択］キーが押下されると（図１１のＳ２２：Ｙｅｓ）、図４（ｃ）に示すように、管理ＩＤ「１」の物品情報を示す物品情報画面を表示する（図１１のＳ２３）。
【００４２】
図４（ｄ）は、現品管理メニュー画面（図３（ａ）参照）で、「現品確認」が選択された場合（図９のＳ０７：Ｙｅｓ，Ｓ０８）に表示される現品確認画面を示す図である（図１２のＳ３１）。現品確認を行う際は、まず当該画面において、新規に確認を行うか、継続して確認を行うかを選択する。ここで、選択肢「新規」が選択された場合は（図１２のＳ３２：新規）、図５（ａ）に示す確認方法選択画面を表示する（図１２のＳ３６）。また、現品確認リスト生成部１８ｂは、この時点で物品リスト記憶部１３ａから物品リスト（物品名の一覧および各物品の物品情報を含む）を読み出し、現品確認リストを新規に生成する（図１２のＳ３３）。つまり、現品確認リストは、新規生成された時点では物品リストと同内容である。但し、物品リストの編集により物品が追加・削除された場合、物品リストに含まれる物品一覧と現品確認リストに含まれる物品一覧には違いが生じる。なお、設計変更により、物品リストと現品管理リストとは、常に整合性が保たれるようにしても良い。つまり、物品リストの編集により物品が追加・削除された場合、それに伴って現品確認リストにも物品の追加・削除を行っても良い。また、複数の現品確認リストが記憶されている場合、最新の現品確認リストのみ物品リストと整合性が保たれるようにしても良い。一方、現品確認画面において、選択肢「継続」が選択された場合（図１２のＳ３２：継続）、図６（ｃ）に示す現品確認継続画面を表示する（図１２のＳ３４）。
【００４３】
図５（ａ）に示すように、確認方法選択画面は、確認時期を示す時期情報を入力可能であると共に、確認方法として、「コードスキャン」と「手動確認」のいずれかを選択可能となっている。なお、時期情報は、現品確認画面で「新規」が選択された場合に入力可能であり、「継続」が選択された場合は、当該画面を表示した時点で入力済みとなっている。確認方法として「コードスキャン」が選択されると（図１２のＳ３７：コードスキャン）、図５（ｂ）に示すコードスキャン画面を表示する（図１２のＳ３８）。
【００４４】
コードスキャン画面は、ハンドスキャナー６でＱＲコード５２を読み取るように、ユーザーに対するメッセージを表示する。ユーザーにより、物品に貼付された物品ラベルＬ１からＱＲコード５２が読み取られると（図１２のＳ３９）、スキャン結果確認画面（図５（ｃ），（ｄ）参照）を表示する。例えば、ＱＲコード５２のデコード結果から得られる管理番号が、現品確認リスト（物品一覧）に登録されている場合（図１２のＳ４０：Ｙｅｓ）、図５（ｃ）に示すスキャン結果確認画面を表示する（図１２のＳ４３）。当該画面では、ＱＲコード５２のデコード結果である物品情報のうち、物品名と管理番号を表示する。さらに、当該画面を数秒間表示した後は、確認情報入力画面（図７（ｂ）参照）に自動遷移する。なお、スキャン結果確認画面の表示を省略しても良い。
【００４５】
一方、ＱＲコード５２のデコード結果から得られる管理番号が、現品確認リストに登録されていない場合（図１２のＳ４０：Ｎｏ）、図５（ｄ）に示すスキャン結果確認画面を表示する（図１２のＳ４１）。当該画面では、物品が登録されていない旨のメッセージを表示する。また、当該画面を数秒間表示した後は、確認方法選択画面（図５（ａ）参照）に自動遷移する。なお、確認方法選択画面に代えて、コードスキャン画面（図５（ｂ）参照）に自動遷移しても良い（但し、確認方法として「コードスキャン」が選択されている場合）。
【００４６】
図６（ａ）は、確認方法選択画面において、「手動確認」が選択された場合（図１２のＳ３７：手動確認）に表示される物品選択画面を示す図である（図１３のＳ４４）。物品選択画面は、現品対象となる物品を選択するための物品の一覧（現品確認リスト）を表示する。なお、現品確認「継続」の場合、物品の一覧に現品確認結果（「○」または「×」）を付加して表示しても良い（図７（ａ）参照）。また、物品の一覧からいずれか１の物品が選択された場合は（図１３のＳ４５：Ｙｅｓ）、物品選択確認画面（図６（ｂ））を表示する（図１３のＳ４６）。物品選択確認画面は、選択された物品の物品名と管理番号を表示する。また、現品確認対象となる物品であるか否かを選択するための選択肢を表示する。ここで、「はい」が選択された場合は（図１３のＳ４７：Ｙｅｓ）、確認情報入力画面（図７（ｂ）参照）を表示する。また、「いいえ」が選択された場合は（図１３のＳ４７：Ｎｏ）、物品選択画面（図６（ａ）参照）に戻る。なお、物品選択確認画面の表示を省略し、物品選択確認画面から直接確認情報入力画面に遷移する構成としても良い。また、物品選択確認画面において、「いいえ」が選択された場合、確認方法選択画面（図５（ａ）参照）に戻っても良い。
【００４７】
図６（ｃ）は、現品確認画面（図４（ｂ）参照）において、「継続」が選択された場合（図１２のＳ３２：継続）に表示される現品確認継続画面を示す図である（図１２のＳ３４）。現品確認継続画面は、過去に登録された現品確認リストのフォルダー名（確認方法選択画面で入力された時期情報）を表示する。このうち、いずれかのフォルダー名が選択されると（図１２のＳ３５）、選択されたフォルダー名に対応した現品確認リストを選択し、確認方法選択画面（図５（ａ）参照）を表示する（図１２のＳ３６）。
【００４８】
図６（ｄ）は、現品管理メニュー画面（図３（ａ）参照）において、「現品確認リスト表示」が選択された場合（図９のＳ０９）に表示される現品確認リスト選択画面を示す図である（図１４のＳ６１）。現品確認リスト選択画面は、過去に登録された現品確認リストのフォルダー名の一覧を表示する。このうち、いずれかのフォルダー名が選択されると、選択されたフォルダー名に対応した現品確認リストを選択し、現品確認リスト画面（図７（ａ）参照）を表示する（図１４のＳ６２）。
【００４９】
現品確認リスト画面は、管理ＩＤの左側に「○」または「×」を付加した現品確認リストを表示する。「○」は、現品確認が行われた旨、「×」は、現品確認がまだ行われていない旨を示す。なお、現品確認リスト画面において、いずれかの物品が選択されると（図１４のＳ６３：Ｙｅｓ）、選択された物品の物品情報を示す物品情報画面（図４（ｃ）参照）を表示する（図１４のＳ６４）。
【００５０】
図７（ｂ）は、スキャン結果確認画面（図５（ｃ）参照）の表示後（図１３のＳ４３）、または物品選択確認画面（図６（ｂ））で選択肢「はい」が選択された場合（図１３のＳ４７：Ｙｅｓ）に表示される確認情報入力画面（確認者名入力部）を示す図である（図１３のＳ４８）。確認情報入力画面では、確認情報として、確認日および確認者名を入力可能であると共に、確認ラベルＬ２を印刷するか否かを選択可能となっている。確認日は、ＲＴＣ１１の計時結果に基づく日付が自動入力される。但し、設計変更により、手入力によって確認日を編集可能としても良い。また、確認者名は、現品確認画面（図４（ｄ）参照）にて、「新規」が入力された場合、当該画面にて入力する。また、現品確認画面にて、「継続」が入力された場合、当該画面を表示した時点で入力済みの状態となっている。さらに、確認ラベルＬ２を印刷するか否かの選択肢で「はい」が選択された場合は（図１３のＳ４９：Ｙｅｓ）、確認ラベル印刷画面（図７（ｃ）参照）を表示する（図１３のＳ５０）。また、「いいえ」が選択された場合は（図１３のＳ４９：Ｎｏ）、確認方法選択画面（図５（ａ）参照）に戻る。なお、確認方法選択画面に戻るのではなく、スキャン結果確認画面（図５（ｃ）参照）から画面遷移された場合は、コードスキャン画面（図５（ｂ）参照）に戻り、物品選択確認画面（図６（ｂ）参照）から画面遷移された場合は、物品選択画面（図６（ａ）参照）に戻っても良い。
【００５１】
図７（ｃ）は、確認ラベル印刷画面を示す図である。当該画面が表示されている状態で、確認ラベルＬ２の印刷が行われる。印刷された確認ラベルＬ２は、図８（ｂ）に示す通りであり、物品ラベルＬ１の近傍に貼付される。これにより、物品の現品確認が完了していることを、ユーザーが目視で判別できる。確認ラベルＬ２の印刷を終了すると、図７（ｄ）に示す現品確認リスト登録確認画面を表示する（図１３のＳ５１）。現品確認リスト登録確認画面では、現品確認完了した旨を現品確認リストに登録するか否かを選択可能となっている。ここで、選択肢「はい」が選択されると（図１３のＳ５２：Ｙｅｓ）、現品確認リストの現品確認対象物品について現品確認完了を登録し（図１３のＳ５３）、確認方法選択画面（図５（ａ）参照）に戻る。一方、選択肢「いいえ」が選択されると（図１３のＳ５２：Ｎｏ）、現品確認完了を登録せず、確認方法選択画面に戻る。なお、現品確認リスト登録確認画面の表示を省略し、確認ラベル印刷画面（図７（ｃ）参照）を表示した後、現品確認完了を登録して、確認方法選択画面に戻る構成としても良い。
【００５２】
次に、図９ないし図１４のフローチャートを参照し、テープ印刷装置１の一連の処理の流れを説明する。図９は、メイン処理を示すフローチャートである。テープ印刷装置１は、［現品管理］キーが押下されると（Ｓ０１）、現品管理メニュー画面（図３（ａ）参照）を表示する（Ｓ０２）。現品管理メニュー画面において、４つの選択肢のうち、「物品ラベル印刷」が選択されると（Ｓ０３：Ｙｅｓ）、物品ラベル印刷処理を行う（Ｓ０４）。また、選択肢「物品リスト表示」が選択されると（Ｓ０５：Ｙｅｓ）、物品リスト表示処理を行う（Ｓ０６）。また、選択肢「現品確認」が選択されると（Ｓ０７：Ｙｅｓ）、現品確認処理を行う（Ｓ０８）。さらに、残りの選択肢である「現品確認リスト表示」が選択されると（Ｓ０７：Ｎｏ）、現品確認リスト表示処理を行う（Ｓ０９）。
【００５３】
図１０は、図９のＳ０４に相当するサブフローチャートである。物品ラベル印刷処理では、まず物品ラベル入力画面（図３（ｂ）参照）を表示し（Ｓ１１）、［印刷］キーが押下されたか否かを判別する（Ｓ１２）。［印刷］キーが押下された場合は（Ｓ１２：Ｙｅｓ）、入力された管理番号と同じ管理番号が物品リスト記憶部１３ａに記憶されていか否かを判別し（Ｓ１３）、記憶されている場合は（Ｓ１３：Ｙｅｓ）、エラー表示を行い（Ｓ１４）、処理を終了する。一方、記憶されていない場合は（Ｓ１３：Ｎｏ）、物品ラベルＬ１を印刷し（Ｓ１５）、物品リスト登録確認画面（図４（ａ）参照）を表示する（Ｓ１６）。その後、印刷された物品ラベルＬ１の物品情報を物品リストに登録するか否かを判別し（Ｓ１７）、登録する場合は（Ｓ１７：Ｙｅｓ）、物品ラベル入力画面で入力された物品情報を登録して（Ｓ１８）、処理を終了する。
【００５４】
図１１は、図９のＳ０６に相当するサブフローチャートである。物品リスト表示処理では、まず物品リスト画面（図４（ｂ）参照）を表示し（Ｓ２１）、物品の選択の有無を判別する（Ｓ２２）。ここで、物品が選択された場合は（Ｓ２２：Ｙｅｓ）、選択された物品の物品情報を示す物品情報画面（図４（ｃ）参照）を表示する（Ｓ２３）。また、物品が選択されない場合は（Ｓ２２：Ｎｏ）、Ｓ２１に戻る。
【００５５】
図１２および図１３は、図９のＳ０８に相当するサブフローチャートである。現品確認処理では、まず現品確認画面（図４（ｄ）参照）を表示し（Ｓ３１）、新規に確認を行うか、継続して確認を行うかの選択をユーザーに促す（Ｓ３２）。ここで、選択肢「新規」が選択された場合は（Ｓ３２：新規）、現品確認リストを生成した後（Ｓ３３）、確認方法選択画面（図５（ａ）参照）を表示する（Ｓ３６）。また、現品確認画面において、選択肢「継続」が選択された場合は（Ｓ３２：継続）、現品確認継続画面（図６（ｃ）参照）を表示し（Ｓ３４）、表示された現品確認リストのフォルダー名のうち、いずれかのフォルダー名の選択をユーザーに促す（Ｓ３５）。フォルダー名が選択されると、選択されたフォルダー名に対応した現品確認リストを選択し、確認方法選択画面を表示する（Ｓ３６）。確認方法選択画では、確認方法の選択を促し（Ｓ３７）、「コードスキャン」が選択された場合は（Ｓ３７：コードスキャン）、コードスキャン画面（図５（ｂ）参照）を表示する（Ｓ３８）。その後、ＱＲコード５２を読み取り（Ｓ３９）、ＱＲコード５２のデコード結果から得られる管理番号が、現品確認リストに登録されているか否かを判別する（Ｓ４０）。登録されていない場合は（Ｓ４０：Ｎｏ）、スキャン結果確認画面（図５（ｄ）参照）を表示し（Ｓ４１）、Ｓ３６に戻る。
【００５６】
一方、管理番号が現品確認リストに登録されている場合は（Ｓ４０：Ｙｅｓ）、スキャン結果確認画面（図５（ｃ）参照）を表示した後（Ｓ４３）、確認情報入力画面（図７（ｂ）参照）を表示する（Ｓ４８）。また、Ｓ３７において、確認方法「手動確認」が選択された場合は、物品選択画面（図６（ａ）参照）を表示し（Ｓ４４）、物品の選択をユーザーに促す。物品の一覧からいずれかの物品が選択されると（Ｓ４５：Ｙｅｓ）、物品選択確認画面（図６（ｂ）参照）を表示し（Ｓ４６）、現品確認対象となる物品であるか否かの確認をユーザーに促す。ここで、「はい」が選択された場合は（Ｓ４７：Ｙｅｓ）、確認情報入力画面（図７（ｂ）参照）を表示する（Ｓ４８）。また、「いいえ」が選択された場合は（Ｓ４７：Ｎｏ）、Ｓ４４に戻る。確認情報入力画面への情報入力後、確認ラベルＬ２の印刷が行われると（Ｓ４９：Ｙｅｓ）、確認ラベルＬ２を印刷し（Ｓ５０）、現品確認リスト登録確認画面（図７（ｄ）参照）を表示する（Ｓ５１）。現品確認リスト登録確認画面では、現品確認完了した旨を現品確認リストに登録するか否かの選択を促し、選択肢「はい」が選択されると（Ｓ５２：Ｙｅｓ）、現品確認リストに現品確認完了を登録し（Ｓ５３）、図１２のＳ３６に戻る。また、選択肢「いいえ」が選択された場合は（Ｓ５２：Ｎｏ）、現品確認完了を登録せず、Ｓ３６に戻る。さらに、確認ラベルＬ２の印刷が行われなかった場合も（Ｓ４９：Ｎｏ）、Ｓ３６に戻る。
【００５７】
図１４は、図９のＳ０９に相当するサブフローチャートである。現品確認リスト表示処理では、現品確認リスト選択画面（図６（ｄ）参照）を表示し（Ｓ６１）、現品確認リスト（フォルダー名）の選択をユーザーに促す。ここで、いずれかのフォルダー名が選択されると、選択されたフォルダー名に対応した現品確認リストを選択し、現品確認リスト画面（図７（ａ）参照）を表示し、物品の選択をユーザーに促す（Ｓ６２）。現品確認リスト画面において、いずれかの物品が選択されると（Ｓ６３：Ｙｅｓ）、選択された物品の物品情報を示す物品情報画面（図４（ｃ）参照）を表示する（Ｓ６４）。また、物品が選択されなかった場合は（Ｓ６３：Ｎｏ）、Ｓ６２に戻る。
【００５８】
以上説明したとおり、本実施形態によれば、物品ラベルＬ１の印刷に伴って物品リストを生成するため、予め物品リストを作成しておく必要がない。また、物品ラベルＬ１は、テープ印刷装置１に物品情報を入力することで印刷できるため、現品管理担当者が、テープ印刷装置１を持って各フロアをまわることにより、実際に物品を確認しながら作成することができる。さらに、物品ラベルＬ１の印刷に伴って、当該物品ラベルＬ１の物品情報を物品リストに追加するため、物品リストには、物品ラベルＬ１が発行された物品だけが含まれる。つまり、物品情報を入力しただけで実際に物品ラベルＬ１を印刷していない場合は、その物品が物品リストに追加されないため、実在する物品とリストアップされた物品が確実に一致する正確な物品リストを生成できる。
【００５９】
また、物品リスト生成部１８ａは、印刷された物品ラベルＬ１の物品情報が物品リストに存在する場合は、その物品情報を物品リストに追加しないため、物品リストへの二重登録を防止できる。これにより、実際の物品数と、物品リストの物品数との整合性を保つことができる。
【００６０】
また、物品ラベルＬ１にはＱＲコード５２を印刷するため、ＱＲコード５２を読み取るだけで現品確認を行うことができる。これにより、現品確認業務の作業負担を軽減できる。また、確認ラベルＬ２の印刷は、読み取ったＱＲコード５２に対応する物品が現品確認リストに存在する場合のみ行われるため、現品確認リストに存在しない物品に対し、誤って確認ラベルＬ２を印刷することがない。また、確認ラベルＬ２の印刷データは、現品確認の対象となる物品によらず固定データであるため、印刷データの生成処理が容易である。
【００６１】
また、確認ラベルＬ２には、確認日や確認者名を印刷するため、いつ現品確認を行ったか、また誰が現品確認を行ったかを一目で確認できる。また、現品確認は、「コードスキャン」、「手動入力」の２種類の確認方法によって行うことができるため、「コードスキャン」を選択することで容易に現品確認を行うことができる。また、「手動入力」を選択することで、例えば物品ラベルＬ１が破損してＱＲコード５２が読み取り不能な場合でも、支障なく現品確認を行うことができる。
【００６２】
また、物品リストや現品確認リストを表示画面３上に表示するため、テープ印刷装置１だけで（上位装置を必要とすることなく）、物品リストの参照や現品管理結果の確認を行うことができる。また、現品確認リストに表示する現品確認結果は、対応する物品について確認ラベルＬ２が印刷されたか否かを示す情報であるため、正確な情報を表示できる。
【００６３】
なお、以下の変形例を採用可能である。例えば、現品管理メニュー画面（図３（ａ）参照）に、選択肢として、「物品リスト編集」、「現品確認リスト編集」、「確認ラベル印刷」を追加しても良い。ここで、「物品リスト編集」が選択された場合は、物品ラベルＬ１の印刷を伴わない、物品リストの追加、削除、編集が可能である。また、「現品確認リスト編集」が選択された場合は、確認ラベルＬ２の印刷を伴わない、現品確認リストの削除、編集が可能である。また、「確認ラベル印刷」が選択された場合は、現品確認リストへの現品確認結果登録を伴わない、確認ラベルＬ２の印刷が可能である。
【００６４】
また、上記の実施形態では、現品確認を完了した際に、図８（ｂ）に示す確認ラベルＬ２を印刷したが、図８（ｃ）に示すような物品確認ラベルＬ３を印刷しても良い。当該物品確認ラベルＬ３は、物品ラベルＬ１と確認ラベルＬ２の印刷項目を組み合わせたものである。すなわち、物品情報および確認情報をテキスト且つ表形式で示した物品確認テキスト情報５４と、物品情報（テキスト情報）をＱＲコード化したＱＲコード５５をテープＴ上に印刷する。なお、確認情報の確認日としては、最終確認日を印刷することが好ましい。また、ＱＲコード５５に、確認情報を含めても良い。このように、現品確認完了時に物品確認ラベルＬ３を印刷することで、物品ラベルを貼り替えることができるため、物品ラベルが破損してＱＲコードが読み取りづらくなるなどの不具合を解消できる。なお、現品確認完了時に確認ラベルＬ２を印刷するか、物品確認ラベルＬ３を印刷するかを、ユーザーが選択可能としても良い。
【００６５】
また、リスト出力部２１ａによって出力するリストの種類（物品リストおよび／または現品確認リスト）を、ユーザーが選択可能としても良い。さらに、現品確認リストについては、現品確認完了した物品のみの一覧、現品確認未完了の物品のみの一覧、全て（物品一覧＋現品確認結果）、のいずれを出力するかについて選択可能としても良い。さらに、表示画面３上に、これら３種類の現品確認リストを表示可能としても良い。
【００６６】
また、確認ラベルＬ２の印刷時に、確認者名を入力可能としたが、当該確認者名の入力は、キーボード２による入力ではなく、社員証に印刷されたコード画像をハンドスキャナー６で読み取ることにより入力可能としても良い。この構成によれば、誰が現品確認を行ったかを正確に入力することができる。
【００６７】
また、物品ラベルＬ１や確認ラベルＬ２の印刷時に、物品の設置場所を測定し、その測定結果を物品リストや現品確認リストに記録可能としても良い。例えば、テープ印刷装置１にＧＰＳ（Global  Positioning  System）を搭載しておくことで、どの事業所にその物品が設置されているのかを記録できる。また、物品が設置された各部屋を測定可能とすることで、どの部屋にその物品が設置されているのかについても記録できる。各部屋の測定方法としては、無線ＩＣチップを各部屋に貼付しておき、テープ印刷装置１に搭載された無線ＩＣリーダーで無線ＩＣチップを読み取る、などの方法が考えられる。
【００６８】
また、上記の各実施形態に示した、テープ印刷装置１の各構成要素をプログラムとして提供することが可能である。また、そのプログラムを各種記録媒体（ＣＤ−ＲＯＭ、フラッシュメモリー等）に格納して提供することも可能である。すなわち、コンピューターを、テープ印刷装置１の各部として機能させるためのプログラム、およびそれを記録した記録媒体も、本発明の権利範囲に含まれるものである。また、上記の実施形態におけるテープ印刷装置１を、２つの電子機器によって実現しても良い。例えば、印刷機構１４および切断機構１５をハンディプリンターで実現し、他の構成要素を、スマートフォンやハンディターミナルなどの携帯情報端末で実現する、などが考えられる。その他、本発明の要旨を逸脱しない範囲で、適宜変更が可能である。
【符号の説明】
【００６９】
１…テープ印刷装置  ２…キーボード  ３…表示画面  ４…開閉蓋  ５…装置ケース  ６…ハンドスキャナー  ７…スキャナー装着部  ８…カートリッジ装着部  １１…ＲＴＣ  １２…ＲＡＭ  １３…フラッシュＲＯＭ  １４…印刷機構  １５…切断機構  １６…テープ識別センサー  １８…ＣＰＵ  ２１…ＵＳＢインターフェース  ２２…テープ排出口  ２３…コード  ５１…物品テキスト情報  ５２…ＱＲコード  ５３…確認テキスト情報  Ｃ…テープカートリッジ  Ｌ１…物品ラベル  Ｌ２…確認ラベル  Ｔ…テープ
【図１】
0006035719.tif 000002
【図２】
0006035719.tif 000003
【図３】
0006035719.tif 000004
【図４】
0006035719.tif 000005
【図５】
0006035719.tif 000006
【図６】
0006035719.tif 000007
【図７】
0006035719.tif 000008
【図８】
0006035719.tif 000009
【図９】
0006035719.tif 000010
【図１０】
0006035719.tif 000011
【図１１】
0006035719.tif 000012
【図１２】
0006035719.tif 000013
【図１３】
0006035719.tif 000014
【図１４】
0006035719.tif 000015